(57)【要約】【課題】デジタル放送信号を受信するデジタル放送受信装置において、字幕情報の表示を映像表示の動きの激しくない部分に表示させ、これにより、映像に字幕を重ねて表示したときに、映像の激しい動きによって、映像も字幕も見え難くなってしまうのを回避する。【解決手段】デジタル放送受信装置１００において、映像情報信号をデコードする映像デコード部１０４を、該映像情報信号のデコードを行う際、該映像情報信号のデコードの際に用いる動きベクトルに基づいて、映像表示領域Ｒｖにおけ４つの字幕表示領域Ｒｓ１〜Ｒｓ４のうちから、最も映像の動きが小さい領域を特定するよう構成し、映像出力部１０７では、該映像デコード部から通知された、映像の動きが最も小さい位置を示す位置情報に基づいて、上記特定された領域に字幕が表示されるよう、デコードされた映像データとデコードされた字幕データとを合成するよう構成した。【選択図】図１
2009152807.tif 000002
【特許請求の範囲】
【請求項１】
デジタル放送信号を受信して映像および字幕を表示するデジタル放送受信装置であって、
該デジタル放送信号に含まれる映像情報をデコードして映像データを出力する映像デコード部と、
該デジタル放送信号に含まれる字幕情報をデコードして字幕データを出力する字幕デコード部と、
該映像データと該字幕データとを合成して表示データを出力する映像出力部と、
該表示データに基づいて、映像を表示するとともに該映像に字幕を重ねて表示する映像表示部とを備え、
該映像デコード部は、
該映像情報に基づいて、該字幕を表示すべき字幕表示領域として、該映像における動きの激しくない部分を検出して、その位置を示す位置情報を出力する領域検出部を有し、
該映像出力部は、
該位置情報に基づいて、該映像における動きの激しくない部分に該字幕が表示されるよう、該字幕データと該映像データとの合成を行うデジタル放送受信装置。
【請求項２】
請求項１に記載のデジタル放送受信装置において、
前記映像出力部は、前記位置情報に基づいて、前記映像における動きの激しくない部分に前記字幕が表示されるよう、前記字幕データと前記映像データとを合成する第１の合成処理と、該映像の決められた部分に該字幕が表示されるよう、該字幕データと該映像データとを合成する第２の合成処理とを、ユーザ操作により発生した選択信号により切り替えるデジタル放送受信装置。
【請求項３】
請求項１または２に記載のデジタル放送受信装置において、
前記映像は、複数のフレームの画像からなり、
前記映像情報は、該各フレームの画像の画素値を、複数画素からなる単位領域毎に符号化してなる映像符号化データと、該単位領域の前後のフレーム間での動きの大きさを示す動きベクトルとを含むものであり、
前記映像デコード部は、該映像符号化データを、該動きベクトルを用いて該単位領域毎に復号化し、かつ、該映像の動きの激しくない部分を、該動きベクトルに基づいて検出するものであるデジタル放送受信装置。
【請求項４】
請求項１または２に記載のデジタル放送受信装置において、
前記映像は、複数のフレームの画像からなり、
前記映像情報は、該各フレームの画像の画素値を、複数画素からなる単位領域毎に符号化してなる映像符号化データを含むものであり、
前記映像デコード部は、該映像符号化データを該単位領域毎に復号化し、その際、該各フレームにおける、該映像の動きのある単位領域の画素値のみを更新し、かつ該映像の動きの激しくない部分を、該画素値の更新の頻度に基づいて検出するデジタル放送受信装置。
【請求項５】
請求項１ないし４のいずれかに記載のデジタル放送受信装置において、
前記領域検出部は、前記映像が表示される表示画面の中央より下側の下位置および該表示画面の中央より上側の上位置のうちから、該映像の動きの激しくない方を選択し、該選択した位置を示す位置情報を、前記字幕表示領域の位置情報として出力するデジタル放送受信装置。
【請求項６】
請求項１ないし４のいずれかに記載のデジタル放送受信装置において、
前記領域検出部は、前記映像が表示される表示画面の中央より右側の右位置および該表示画面の中央より左側の左位置のうちから、該映像の動きの激しくない方を選択し、該選択した位置を示す位置情報を、前記字幕表示領域の位置情報として出力するデジタル放送受信装置。
【請求項７】
請求項１ないし４のいずれかに記載のデジタル放送受信装置において、
前記領域検出部は、前記映像が表示される表示画面の中央より下側の下位置、該表示画面の中央より上側の上位置、該表示画面の中央より右側の右位置、および該表示画面の中央より左側の左位置のうちから、該映像の動きの激しさが一番小さい位置を選択し、該選択した位置を示す位置情報を前記字幕表示領域の位置情報として出力するデジタル放送受信装置。
【請求項８】
請求項５または７に記載のデジタル放送受信装置において、
前記領域検出部は、前記字幕表示領域の位置として、前記映像が表示される表示画面の中央より下側の下位置を決定したとき、該字幕表示領域を、該字幕が該表示画面の下側に詰めて表示されるよう該表示画面上に設定するデジタル放送受信装置。
【請求項９】
請求項５または７に記載のデジタル放送受信装置において、
前記領域検出部は、前記字幕表示領域の位置として、前記映像が表示される表示画面の中央より上側の上位置を決定したとき、該字幕表示領域を、該字幕が該表示画面の上側に詰めて表示されるよう該表示画面上に設定するデジタル放送受信装置。
【請求項１０】
請求項６または７に記載のデジタル放送受信装置において、
前記領域検出部は、前記字幕表示領域の位置として、前記映像が表示される表示画面の中央より右側の右位置を決定したとき、該字幕表示領域を、該字幕が該表示画面の右側に詰めて表示されるよう該表示画面上に設定するデジタル放送受信装置。
【請求項１１】
請求項６または７に記載のデジタル放送受信装置において、
前記領域検出部は、前記字幕表示領域の位置として、前記映像が表示される表示画面の中央より左側の左位置を決定したとき、該字幕表示領域を、該字幕が該表示画面の左側に詰めて表示されるよう該表示画面上に設定するデジタル放送受信装置。
【請求項１２】
デジタル放送信号を受信して映像および字幕を表示するデジタル放送受信方法であって、
該デジタル放送信号に含まれる映像情報をデコードして映像データを出力する映像デコードステップと、
該デジタル放送信号に含まれる字幕情報をデコードして字幕データを出力する字幕デコードステップと、
該映像データと該字幕データとを合成して表示データを出力する映像出力ステップと、
該表示データに基づいて、該映像を表示するとともに該映像に字幕を重ねて表示する映像表示ステップとを含み、
該映像デコードステップでは、
該映像情報に基づいて、該字幕を表示すべき字幕表示領域として、該映像における動きの激しくない部分が検出されてその位置を示す位置情報が出力され、
該映像出力ステップでは、
該位置情報に基づいて、該映像における動きの激しくない部分に該字幕が表示されるよう、該字幕データと該映像データとの合成が行われるデジタル放送受信方法。
【請求項１３】
請求項１２に記載のデジタル放送受信方法において、
前記映像出力ステップでは、前記位置情報に基づいて、前記映像における動きの激しくない部分に該字幕が表示されるよう、前記字幕データと前記映像データとを合成する第１の合成処理と、該映像の決められた部分に該字幕が表示されるよう、該字幕データと該映像データとを合成する第２の合成処理とが、ユーザ操作により発生した選択信号により選択されるデジタル放送受信方法。
【請求項１４】
受信したデジタル放送信号から、映像および字幕を表示させるための表示データを生成する信号処理を、コンピュータに行わせるための信号処理プログラムであって、
該デジタル放送信号に含まれる映像情報をデコードして映像データを出力する映像デコードステップと、
該デジタル放送信号に含まれる字幕情報をデコードして字幕データを出力する字幕デコードステップと、
該映像データと該字幕データとを合成して表示データを出力する映像出力ステップとを含み、
該映像デコードステップでは、
該映像情報に基づいて、該字幕を表示すべき字幕表示領域として、該映像における動きの激しくない部分が検出されてその位置を示す位置情報が出力され、
該映像出力ステップでは、
該位置情報に基づいて、該映像における動きの激しくない部分に該字幕が表示されるよう、該字幕データと該映像データとの合成が行われる、信号処理プログラム。
【請求項１５】
請求項１４に記載の信号処理プログラムにおいて、
前記映像出力ステップでは、前記位置情報に基づいて、前記映像における動きの激しくない部分に該字幕が表示されるよう、前記字幕データと前記映像データとを合成する第１の合成処理と、該映像の決められた部分に該字幕が表示されるよう、該字幕データと該映像データとを合成する第２の合成処理とが、ユーザ操作により発生した選択信号により選択される信号処理プログラム。
【請求項１６】
請求項１４または１５に記載の信号処理プログラムを記録したプログラム記録媒体。
【発明の詳細な説明】
【技術分野】
【０００１】
本発明は、デジタル放送受信装置、デジタル放送受信方法、信号処理プログラム、およびプログラム記録媒体に関し、特に、字幕を映像に重ねて表示するデジタル放送受信装置およびデジタル放送受信方法、並びに、字幕情報を含むデジタル放送信号の信号処理プログラムおよび該信号処理プログラムを記録したプログラム記録媒体に関するものである。
【背景技術】
【０００２】
デジタル放送では、字幕情報を付加情報として通常の映像信号に多重化して、該映像信号と同時に放送しており、現在、一般的なデジタル放送受信装置は、字幕情報を放送局が指定したままの形で、具体的には、映像を表示する表示画面の下側位置に表示して視聴者に提供している。
【０００３】
また、字幕付きテレビ番組を表示する方法としては、テレビ映像を、その表示画面より小さくなるよう、垂直方向および水平方向に圧縮し、圧縮されたテレビ映像を、該表示画面の右上隅に詰めて表示し、これにより生じた表示画面の左端部分から下端部分にわたるＬ字型の余白領域に、字幕を表示するようにしたものもある（例えば、特許文献１参照）。
【０００４】
またさらに、テレビジョン放送の番組と文字放送のコンテンツとを多画面表示するデジタル放送受信装置においては、該受信装置側でユーザにより設定された位置に、字幕情報を表示させるというシステムも考案されている（例えば、特許文献２参照）。
【特許文献１】特開２００１−０２４９６３号公報
【特許文献２】特開２００２−１９９３５４号公報
【発明の開示】
【発明が解決しようとする課題】
【０００５】
しかしながら、字幕を映像から離して表示すると、字幕は見難くなり、また、映像の表示領域に字幕を重ねて表示させた場合には、映像が非常に激しい動きを伴うと、映像も字幕も見え難くなってしまうおそれがある。
【０００６】
本発明は、上記のような問題点を解決するためになされたもので、表示画面上の視聴者が読みやすい位置に字幕を表示することが可能なデジタル放送受信装置およびデジタル放送受信方法を提供することを目的とする。
【０００７】
また、本発明は、受信したデジタル放送信号の信号処理により、表示画面上の視聴者が読みやすい位置に字幕が表示されるよう映像データと字幕データとを合成することができる信号処理プログラム、および該信号処理プログラムを記録したプログラム記録媒体を提供することを目的とする。
【課題を解決するための手段】
【０００８】
本発明に係るデジタル放送受信装置は、デジタル放送信号を受信して映像および字幕を表示するデジタル放送受信装置であって、該デジタル放送信号に含まれる映像情報をデコードして映像データを出力する映像デコード部と、該デジタル放送信号に含まれる字幕情報をデコードして字幕データを出力する字幕デコード部と、該映像データと該字幕データとを合成して表示データを出力する映像出力部と、該表示データに基づいて、映像を表示するとともに該映像に字幕を重ねて表示する映像表示部とを備え、該映像デコード部は、該映像情報に基づいて、該字幕を表示すべき字幕表示領域として、該映像における動きの激しくない部分を検出して、その位置を示す位置情報を出力する領域検出部を有し、該映像出力部は、該位置情報に基づいて、該映像における動きの激しくない部分に該字幕が表示されるよう、該字幕データと該映像データとの合成を行うものであり、そのことにより上記目的が達成される。
【０００９】
本発明は、上記デジタル放送受信装置において、前記映像出力部は、前記位置情報に基づいて、前記映像における動きの激しくない部分に前記字幕が表示されるよう、前記字幕データと前記映像データとを合成する第１の合成処理と、該映像の決められた部分に該字幕が表示されるよう、該字幕データと該映像データとを合成する第２の合成処理とを、ユーザ操作により発生した選択信号により切り替えることが好ましい。
【００１０】
本発明は、上記デジタル放送受信装置において、前記映像は、複数のフレームの画像からなり、前記映像情報は、該各フレームの画像の画素値を、複数画素からなる単位領域毎に符号化してなる映像符号化データと、該単位領域の前後のフレーム間での動きの大きさを示す動きベクトルとを含むものであり、前記映像デコード部は、該映像符号化データを、該動きベクトルを用いて該単位領域毎に復号化し、かつ、該映像の動きの激しくない部分を、該動きベクトルに基づいて検出するものであることが好ましい。
【００１１】
本発明は、上記デジタル放送受信装置において、前記映像は、複数のフレームの画像からなり、前記映像情報は、該各フレームの画像の画素値を、複数画素からなる単位領域毎に符号化してなる映像符号化データを含むものであり、前記映像デコード部は、該映像符号化データを該単位領域毎に復号化し、その際、該各フレームにおける、該映像の動きのある単位領域の画素値のみを更新し、かつ該映像の動きの激しくない部分を、該画素値の更新の頻度に基づいて検出することが好ましい。
【００１２】
本発明は、上記デジタル放送受信装置において、前記領域検出部は、前記映像が表示される表示画面の中央より下側の下位置および該表示画面の中央より上側の上位置のうちから、該映像の動きの激しくない方を選択し、該選択した位置を示す位置情報を、前記字幕表示領域の位置情報として出力することが好ましい。
【００１３】
本発明は、上記デジタル放送受信装置において、前記領域検出部は、前記映像が表示される表示画面の中央より右側の右位置および該表示画面の中央より左側の左位置のうちから、該映像の動きの激しくない方を選択し、該選択した位置を示す位置情報を、前記字幕表示領域の位置情報として出力することが好ましい。
【００１４】
本発明は、上記デジタル放送受信装置において、前記領域検出部は、前記映像が表示される表示画面の中央より下側の下位置、該表示画面の中央より上側の上位置、該表示画面の中央より右側の右位置、および該表示画面の中央より左側の左位置のうちから、該映像の動きの激しさが一番小さい位置を選択し、該選択した位置を示す位置情報を前記字幕表示領域の位置情報として出力することが好ましい。
【００１５】
本発明は、上記デジタル放送受信装置において、前記領域検出部は、前記字幕表示領域の位置として、前記映像が表示される表示画面の中央より下側の下位置を決定したとき、該字幕表示領域を、該字幕が該表示画面の下側に詰めて表示されるよう該表示画面上に設定することが好ましい。
【００１６】
本発明は、上記デジタル放送受信装置において、前記領域検出部は、前記字幕表示領域の位置として、前記映像が表示される表示画面の中央より上側の上位置を決定したとき、該字幕表示領域を、該字幕が該表示画面の上側に詰めて表示されるよう該表示画面上に設定することが好ましい。
【００１７】
本発明は、上記デジタル放送受信装置において、前記領域検出部は、前記字幕表示領域の位置として、前記映像が表示される表示画面の中央より右側の右位置を決定したとき、該字幕表示領域を、該字幕が該表示画面の右側に詰めて表示されるよう該表示画面上に設定することが好ましい。
【００１８】
本発明は、上記デジタル放送受信装置において、前記領域検出部は、前記字幕表示領域の位置として、前記映像が表示される表示画面の中央より左側の左位置を決定したとき、該字幕表示領域を、該字幕が該表示画面の左側に詰めて表示されるよう該表示画面上に設定することが好ましい。
【００１９】
本発明に係るデジタル放送受信方法は、デジタル放送信号を受信して映像および字幕を表示するデジタル放送受信方法であって、該デジタル放送信号に含まれる映像情報をデコードして映像データを出力する映像デコードステップと、該デジタル放送信号に含まれる字幕情報をデコードして字幕データを出力する字幕デコードステップと、該映像データと該字幕データとを合成して表示データを出力する映像出力ステップと、該表示データに基づいて、該映像を表示するとともに該映像に字幕を重ねて表示する映像表示ステップとを含み、該映像デコードステップでは、該映像情報に基づいて、該字幕を表示すべき字幕表示領域として、該映像における動きの激しくない部分が検出されてその位置を示す位置情報が出力され、該映像出力ステップでは、該位置情報に基づいて、該映像における動きの激しくない部分に該字幕が表示されるよう、該字幕データと該映像データとの合成が行われるものであり、そのことにより上記目的が達成される。
【００２０】
本発明は、上記デジタル放送受信方法において、前記映像出力ステップでは、前記位置情報に基づいて、前記映像における動きの激しくない部分に該字幕が表示されるよう、前記字幕データと前記映像データとを合成する第１の合成処理と、該映像の決められた部分に該字幕が表示されるよう、該字幕データと該映像データとを合成する第２の合成処理とが、ユーザ操作により発生した選択信号により選択されることが好ましい。
【００２１】
本発明に係る信号処理プログラムは、受信したデジタル放送信号から、映像および字幕を表示させるための表示データを生成する信号処理を、コンピュータに行わせるための信号処理プログラムであって、該デジタル放送信号に含まれる映像情報をデコードして映像データを出力する映像デコードステップと、該デジタル放送信号に含まれる字幕情報をデコードして字幕データを出力する字幕デコードステップと、該映像データと該字幕データとを合成して表示データを出力する映像出力ステップとを含み、該映像デコードステップでは、該映像情報に基づいて、該字幕を表示すべき字幕表示領域として、該映像における動きの激しくない部分が検出されてその位置を示す位置情報が出力され、該映像出力ステップでは、該位置情報に基づいて、該映像における動きの激しくない部分に該字幕が表示されるよう、該字幕データと該映像データとの合成が行われるものであり、そのことにより上記目的が達成される。
【００２２】
本発明は、上記信号処理プログラムにおいて、前記映像出力ステップでは、前記位置情報に基づいて、前記映像における動きの激しくない部分に該字幕が表示されるよう、前記字幕データと前記映像データとを合成する第１の合成処理と、該映像の決められた部分に該字幕が表示されるよう、該字幕データと該映像データとを合成する第２の合成処理とが、ユーザ操作により発生した選択信号により選択されることが好ましい。
【００２３】
本発明に係るプログラム記録媒体は、上記信号処理プログラムを記録したものであり、そのことにより上記目的が達成される。
【００２４】
以下、本発明の作用について説明する。
【００２５】
本発明においては、デジタル放送信号に含まれる映像情報をデコードするデコード部では、デジタル放送信号に含まれる映像情報に基づいて、字幕を表示すべき字幕表示領域として、映像における動きの激しくない部分を検出してその位置を示す位置情報を出力し、また、映像データと字幕データとを合成して表示データを出力する映像出力部では、該位置情報に基づいて、該映像における動きの激しくない部分に該字幕が表示されるよう、該字幕データと該映像データとの合成を行うので、映像が非常に激しい動きを伴う場合でも、字幕を視聴者が見やすい形で映像の表示領域に重ねて表示することができる。
【００２６】
また、本発明においては、前記映像における動きの激しくない部分に前記字幕が表示されるよう、前記字幕データと前記映像データとを合成する第１の合成処理と、該映像の決められた部分に該字幕が表示されるよう、該字幕データと該映像データとを合成する第２の合成処理とを、ユーザ操作により発生した選択信号により切り替えるので、表示される映像が動きの激しいものか否かなど映像の特性に応じて、字幕が映像の動きの激しくない位置に移動する表示モードを解除して、字幕の表示位置を固定することができる。
【００２７】
また、この発明においては、字幕を表示画面の中央より上側、下側、右側、あるいは左側に表示するときは、それぞれ画面の端に詰めて表示するので、映像の字幕により遮られる部分が視聴者の注目度の低い領域となり、字幕を重ねた映像に対して視聴者がいだく、映像が見難いという印象を緩和することができる。
【発明の効果】
【００２８】
以上のように、本発明によれば、デジタル放送信号を受信して映像および字幕を表示するデジタル放送受信装置において、デジタル放送信号に含まれる映像情報をデコードするデコード部と、映像データと字幕データとを合成して表示データを出力する映像出力部とを備え、該デコード部では、デジタル放送信号に含まれる映像情報に基づいて、字幕を表示すべき字幕表示領域として、映像における動きの激しくない部分を検出してその位置を示す位置情報を出力し、また、該映像出力部では、該位置情報に基づいて、該映像における動きの激しくない部分に該字幕が表示されるよう、該字幕データと該映像データとの合成を行するので、映像に字幕を重ねて表示する場合に映像が激しい動きを伴うときでも、該映像の動きの激しくない部分に字幕を表示させることで、視聴者が読みやすい形で字幕情報を表示することができる。
【００２９】
本発明によれば、デジタル放送信号を受信して映像および字幕を表示するデジタル放送受信方法において、デジタル放送信号に含まれる映像情報をデコードするデコードステップでは、デジタル放送信号に含まれる映像情報に基づいて、字幕を表示すべき字幕表示領域として、映像における動きの激しくない部分を検出してその位置を示す位置情報を出力し、また、映像データと字幕データとを合成して表示データを出力する映像出力ステップでは、該位置情報に基づいて、該映像における動きの激しくない部分に該字幕が表示されるよう、該字幕データと該映像データとの合成を行うので、映像に字幕を重ねて表示する場合に映像が激しい動きを伴うときでも、該映像の動きの激しくない部分に字幕を表示させることで、視聴者が読みやすい形で字幕情報を表示することができる。
【００３０】
また、本発明によれば、受信したデジタル放送信号から、映像および字幕を表示させるための表示データを生成する信号処理を、コンピュータに行わせるための信号処理プログラムにおいて、デジタル放送信号に含まれる映像情報をデコードするデコードステップでは、デジタル放送信号に含まれる映像情報に基づいて、字幕を表示すべき字幕表示領域として、映像における動きの激しくない部分を検出してその位置を示す位置情報を出力し、また、映像データと字幕データとを合成して表示データを出力する映像出力ステップでは、該位置情報に基づいて、該映像における動きの激しくない部分に該字幕が表示されるよう、該字幕データと該映像データとの合成を行うので、映像に字幕を重ねて表示する場合に映像が激しい動きを伴うときでも、該映像の動きの激しくない部分に字幕を表示させることで、視聴者が読みやすい形で字幕情報を表示することができる。
【発明を実施するための最良の形態】
【００３１】
以下、本発明の実施形態について図面を参照しながら説明する。
【００３２】
（実施形態１）
図１は、本発明の実施形態１に係るデジタル放送受信装置を説明するブロック図である。
【００３３】
本実施形態１のデジタル放送受信装置１００は、デジタル放送電波Ｅｗを受信するアンテナ部１０１と、受信したデジタル放送電波Ｅｗをデジタル放送信号Ｂｓに復元するチューナ部１０２と、復元したデジタル放送信号Ｂｓから映像情報Ｖｓ、音声情報Ａｓ、および字幕情報Ｃｄなどを切り分けて抽出する放送信号分離部１０３とを有している。また、該デジタル放送受信装置１００は、映像情報Ｖｓをデコードして映像データＶｄを出力する映像デコーダ１０４と、音声情報Ａｓをデコードして音声データＡｄを出力する音声デコーダ１０５と、字幕情報Ｃｓをデコードして字幕データＣｄを出力する字幕デコーダ１０６と、デコードされた映像データＶｄとデコードされた字幕データＣｄとを合成して表示データＤを出力する映像出力部１０７と、音声データＡｄをＤＡ変換して音声信号Ａを出力する音声ＤＡＣ部１０８と、上記表示データＤに基づいて映像および字幕を表示する液晶ディスプレイ（ＬＣＤ）などの映像表示部１０９と、上記音声信号Ａを受けて音声を出力するスピーカ部１１０とを有している。
【００３４】
また、上記デジタル放送受信装置１００は、ユーザの操作により操作信号Ｏｄを発生する操作部１００ｂと、該操作信号Ｏｄに基づいて、該チューナ部１０２および映像出力部１０７をそれぞれ制御信号Ｃ１およびＣ２により制御する制御部１００ａとを有している。
【００３５】
ここで、上記映像情報Ｖｓは、上記映像を構成する複数のフレームの画像の画素値を、複数画素からなる単位領域毎に符号化してなる映像符号化データと、該単位領域の前後のフレーム間での動きの大きさを示す動きベクトルとを含むものである。
【００３６】
そして、上記映像デコーダ１０４は、上記映像情報Ｖｓを受け、該映像情報Ｖｓに含まれる映像符号化データを、該映像情報Ｖｓに含まれる動きベクトルを用いて該単位領域毎に復号化し、かつ、該映像符号化データのデコード時に用いる動きベクトルに基づいて検出し、該字幕を表示すべき領域として、該映像における動きの激しくない部分を検出して、その位置を示す位置情報Ｐｄを出力する領域検出部（図示せず）を有している。
【００３７】
該領域検出部は、該字幕を表示すべき領域の位置情報Ｐｄとして、映像が表示される表示画面の中央より下側の下位置、該表示画面の中央より上側の上位置、該表示画面の中央より右側の右位置、および該表示画面の中央より左側の左位置のうちで、動きの激しさが最も小さい位置を示す位置情報を出力するよう構成されている。
【００３８】
また、上記映像出力部１０７は、上記映像における動きの激しくない部分に上記字幕が表示されるよう、該字幕データと該映像データとを合成する第１の合成処理と、該映像の決められた部分に該字幕が表示されるよう、該字幕データと該映像データとを合成する第２の合成処理とを、ユーザによる操作部１００ｂの操作により切り替える回路構成となっている。つまり、ユーザによる操作部１００ｂの操作により操作部から操作信号Ｏｄが制御部１００ａに供給されると、該制御部１００ａは、上記映像出力部１０７に、上記第１および第２の合成処理の一方を選択するための選択信号を制御信号Ｃ２として出力する構成となっている。また、制御部１００ａは、操作部１００ｂからのチャンネル切り替えのための信号により、チューナ部１０２で放送信号が選択されるよう制御信号Ｃ１を該チューナ部１０２に出力するものでもある。なお、該制御部１００ａは、実際には、デジタル放送受信装置１００におけるその他の部分に対しても制御信号を出力するものであるが、ここでは、説明の簡略化のため、上記チューナ部１０２の制御信号Ｃ１および映像出力部１０７の制御信号Ｃ２以外は省略している。
【００３９】
また、該映像出力部１０７は、該位置情報Ｐｄに基づいて、該映像における動きの激しくない部分に該字幕が表示されるよう、該字幕データＣｄと該映像データＶｄとの合成を行うものである。
【００４０】
さらに、上記音声情報Ａｓは、上記映像データＶｄに対応する音声データＡｄを、対応する符号化方式で圧縮符号化してなる音声符号化データであり、上記字幕情報Ｃｓは、上記映像データに対応する字幕データＣｄを、対応する符号化方式で圧縮符号化してなる字幕符号化データである。
【００４１】
そして、上記デジタル放送信号は、上記映像情報Ｖｓ、音声情報Ａｓ、および字幕情報Ｃｓなどをその他のデータとともに多重化してなるものである。
【００４２】
次に、動作について説明する。
【００４３】
アンテナ部１０１にて放送電波Ｅｗが受信されると、該受信された放送電波Ｅｗはチューナ部１０２にてデジタル放送信号Ｂｓに復元され、該デジタル放送信号Ｂｓが放送信号分離部１０３に出力される。すると、放送信号分離部１０３は、入力されたデジタル放送信号Ｂｓを、映像情報Ｖｓ、音声情報Ａｓ、および字幕情報Ｌｓなどに分離し、各対応するデコード部１０４〜１０６へ送る。
【００４４】
音声情報Ａｓを受け取った音声デコード部１０５は、該音声情報Ａｓのデコードによりデジタル音声データＡｄを生成し、音声ＤＡＣ部１０８に出力する。すると、音声ＤＡＣ部１０８からは、デジタル音声データＡｄをＤＡ変換して得られたアナログ音声信号Ａがスピーカ部１１０へ出力され、該スピーカ部１１０の音声出力により音声が発生する。また、映像情報Ｖｓを受け取った映像デコード部１０４は、該映像情報Ｖｓのデコードにより映像データＶｄを生成し、該映像データＶｄを映像出力部１０７へ送る。さらに、字幕情報Ｃｓを受け取った字幕デコーダ部１０６は、該字幕情報Ｃｓのデコードにより字幕データＣｄを生成し、該字幕データＣｄを映像出力部１０７へ送る。該映像出力部１０７は、受け取った映像データＶｄと字幕データＣｄとを合成して映像表示データＤを映像表示部１０９へ送ることで、該映像表示部１０９での映像表示を行う。
【００４５】
ここで、ユーザ操作により、上記映像出力部１０７にて映像データと字幕データを合成する際に、映像表示部１０９の、映像が表示される表示画面の決められた位置に字幕情報を表示させる固定表示モードが設定されている場合、該映像出力部１０７は、図２（ａ）に示すように、該表示画面の下部に字幕情報が表示されるよう上記データの合成を行う。
【００４６】
また、上記映像出力部１０７にて映像データと字幕データを合成する際に、映像の動きの激しくない部分に字幕を表示させる適応表示モードが設定されている場合、上記映像デコーダ部１０４は、映像の表示画面における映像の動きが激しくない位置を特定し、該映像表示部１０９に映像の動きの激しくない位置をその位置情報Ｐｄにより通知する。該映像表示部１０９は映像デコード部１０４から受け取った映像の動きの激しくない領域を示す位置情報Ｐｄに基づいて、表示画面の映像の動きの激しくない領域に字幕情報が表示されるよう、上記映像データと字幕データとを合成する。
【００４７】
上記映像デコーダ部１０４から映像表示部１０９へ通知される映像の動きの激しくない領域としては、映像表示領域（表示画面）Ｒｖにおける最も下側の下詰め領域Ｒｓ１（図２（ａ））、映像表示領域Ｒｖにおける最も上側の上詰め領域Ｒｓ２（図２（ｂ））、映像表示領域Ｒｖにおける最も右側の右詰め領域Ｒｓ３（図２（ｃ））、映像表示領域Ｒｖにおける最も左側の左詰め領域Ｒｓ４（図２（ｄ））のうちから１つの領域が選択される。
【００４８】
なお、上記映像の動きの激しくない領域として、下詰め領域Ｒｓ１あるいは上詰め領域Ｒｓ２が選択されたときは、横書きの字幕が表示され、右詰め領域Ｒｓ２あるいは左詰め領域Ｒｓ４が選択されたときは、縦書きの字幕が表示される。
【００４９】
次に、上記映像デコーダ部１０４にて映像表示領域Ｒｖにおける映像の動きが激しくない位置を特定する方法について説明する。
【００５０】
図３（ａ）〜図３（ｅ）は動きベクトルを用いて映像の動きの激しくない位置を特定する方法を示している。
【００５１】
ここで動きが激しくない位置とは、上記上詰め領域Ｒｓ２、下詰め領域Ｒｓ１、右詰め領域Ｒｓ３、および左詰め領域Ｒｓ４において、該各領域を構成する複数の単位領域に対応する動きベクトルが最も少ない領域を意味するものとする。
【００５２】
ここで、映像デコード部１０４では、上記映像データＶｄのデコードを、映像を構成する各フレーム画像における、複数の画素からなる単位領域毎に行っており、上記動きベクトルは、該単位領域での映像の動きの方向と大きさを示すものであり、動きの大きい単位領域には大きな動きベクトルが割当てれられ、動きのない単位領域には動きベクトルは割当てられない。従って、各フレームとその前フレームとの間で映像に動きがない単位領域に対する動きベクトルは存在しない。また、上記下詰め領域Ｒｓ１、上詰め領域Ｒｓ２、右詰め領域Ｒｓ３、および左詰め領域Ｒｓ４は、決められた個数の単位領域を含んでいる。
【００５３】
また、映像表示領域（表示画面）の動きの激しい領域ほど、多くの動きベクトルを有することとなる。つまり、上記映像デコード部１０４が映像表示領域Ｒｖ上で、映像をデコードする際に利用する動きベクトルが図３（ａ）に示すように、映像表示領域Ｒｖの下半分の領域で多い場合、映像表示画面Ｒｖの下半分の領域では動きが激しい映像が表示されている。このような状態で、映像表示領域Ｒｖの下詰め領域Ｒｓ１に字幕情報を表示すると、図３（ｂ）に示すように、動きの激しい映像と字幕が重なり合い、映像も見え難く、字幕も見え難くなってしまう。
【００５４】
また、上記のように映像表示画面Ｒｖの下半分の領域で動きが激しい映像が表示されている状態で、図３（ｃ）に示すように、字幕表示を映像表示領域Ｒｖの右詰め領域Ｒｓ３に、もしくは図３（ｄ）に示すように、字幕表示を映像表示領域の左詰め領域Ｒｓ４に表示させた場合も、表示された映像の一部、字幕の一部が見え難くなってしまう。このように映像表示画面Ｒｖの下半分の領域で動きが激しい映像が表示されている場合、図３（ｅ）に示すように、字幕を映像表示領域Ｒｖの上詰め領域Ｒｓ２に表示することで、視聴者が読みやすい形で字幕を表示することができる。
【００５５】
次に、この放送受信装置における字幕情報の表示処理を図４に示すフローチャートを使って具体的に説明する。
【００５６】
アンテナ部１０１にて放送電波Ｅｗを受信し（ステップＳ２０１）、チューナ部１０２によって放送電波Ｅｗからデジタル放送信号Ｂｓが復元される（ステップＳ２０２）。すると、該デジタル放送信号Ｂｓは、放送信号分離部１０３にて映像情報Ｖｓ、音声情報Ａｓ、字幕情報Ｃｓなどに分離され（ステップＳ２０３）、それぞれ対応するデコード部へ出力される。
【００５７】
そして、上記映像デコード部１０５は映像情報Ｖｓのデコードを行い、その際、映像表示領域Ｒｖにおける映像の動きが激しくない位置を特定する。つまり該映像デコード部１０５は、映像情報Ｖｓのデコードの際に用いる動きベクトルに基づいて、上記映像表示領域Ｒｖにおけ４つの字幕表示領域Ｒｓ１〜Ｒｓ４のうちから、映像の動きが最も小さい領域を特定する（ステップＳ２０４〜Ｓ２０６）。そして、映像出力部１０７は、該映像デコード部１０４から通知された、映像の動きが最も小さい位置を示す情報Ｐｄに基づいて、該位置情報Ｐｄにより特定された領域に字幕が表示されるよう、映像データと字幕データとを合成する（ステップＳ２０７〜Ｓ２０９）。
【００５８】
具体的には、映像デコード部１０５では、まず、映像表示領域（表示画面）Ｒｖにおける中央より下側に位置する部分が、映像の動きが最も小さい領域であるか否かの判定を行い（ステップＳ２０４）、この部分で映像の動きが最も小さい場合は、該映像デコード部１０５は、映像表示領域Ｒｖの下詰め領域Ｒｓ１を示す領域特定情報（位置情報）Ｐｄを映像出力部１０７に通知する（ステップＳ２０７）。すると、映像出力部１０７は、映像デコード部１０５からの領域特定情報に基づいて、該下詰め領域Ｒｓ１に字幕が表示されるよう、映像データと字幕データとを合成する。これにより、映像表示部１０９は、字幕を映像表示領域Ｒｖの下詰め領域Ｒｓ１に表示する（ステップＳ２１１）。
【００５９】
一方、上記ステップＳ２０４での判定の結果、該下詰め領域Ｒｓ１で映像の動きが最も小さくはない場合は、該映像デコード部１０５は、映像表示領域Ｒｖにおける中央より上側に位置する部分が、映像の動きが最も小さい領域であるか否かの判定を行う（ステップＳ２０５）。その判定の結果、この映像表示領域Ｒｖの中央より上側の部分で映像の動きが最も小さい場合は、該映像デコード部１０５は、その旨を映像出力部１０７に通知する（ステップＳ２０８）。すると、該映像出力部１０７は、上記映像デコード部１０５からの領域特定情報（位置情報）に基づいて、該映像表示領域Ｒｖの上詰め領域Ｒｓ２に字幕が表示されるよう、映像データと字幕データとを合成する。これにより、映像表示部１０９は、字幕を映像表示領域Ｒｖの上詰め領域Ｒｓ２に表示する（ステップＳ２１１）。
【００６０】
また、上記ステップＳ２０５での判定の結果、該上詰め領域Ｒｓ２が、映像の動きが最も小さい領域でない場合は、該映像デコード部１０５は、映像表示領域Ｒｖにおける中央より右側に位置する部分（右詰め領域）Ｒｓ３が、最も映像の動きが緩やかである領域であるか否かの判定を行う（ステップＳ２０６）。その判定の結果、該右詰め領域Ｒｓ３で映像の動きが最も小さい領域である場合は、該映像デコード部１０５は、その旨を映像出力部１０７に通知する（ステップＳ２０９）。すると、該映像出力部１０７は、上記映像デコード部１０５からの領域特定情報（位置情報）に基づいて、該上詰め領域Ｒｓ３に字幕が表示されるよう、映像データと字幕データとを合成する。これにより、該映像表示部１０９は、字幕を映像表示領域Ｒｖの右詰め領域Ｒｓ３に表示する（ステップＳ２１１）。
【００６１】
さらに、上記ステップＳ２０６での判定の結果、該右詰め領域Ｒｓ３が、映像の動きが最も緩やかな領域でない場合は、該映像デコード部１０５は、その旨を映像出力部１０７に通知する（ステップＳ２１０）。該映像出力部１０７は、上記映像デコード部１０５からの領域特定情報（位置情報）に基づいて、該左詰め領域Ｒｓ４に字幕が表示されるよう、映像データと字幕データとを合成する。これにより、該映像表示部１０９は、字幕を映像表示領域Ｒｖの左詰め領域Ｒｓ４に表示する（ステップＳ２１１）。
【００６２】
このように本実施形態１では、デジタル放送受信装置１００において、デジタル放送信号に含まれる映像情報をデコードする映像デコード部１０４を、デジタル放送信号に含まれる映像情報に基づいて、字幕を表示すべき字幕表示領域として、映像における動きの激しくない部分を検出してその位置を示す位置情報を出力するよう構成し、また、映像データと字幕データとを合成する映像出力部１０７を、該位置情報に基づいて、該映像における動きの激しくない部分に該字幕が表示されるよう、該字幕データと該映像データとの合成を行うよう構成したので、映像が非常に激しい動きを伴う場合でも、字幕を視聴者が見やすい形で映像の表示領域に重ねて表示することができる。
【００６３】
また、本実施形態１においては、上記映像出力部１０７を、上記映像における動きの激しくない部分に前記字幕が表示されるよう、前記字幕データと前記映像データとを合成する第１の合成処理と、該映像の決められた部分に該字幕が表示されるよう、該字幕データと該映像データとを合成する第２の合成処理とを、ユーザ操作により発生した選択信号により切り替える構成としているので、表示される映像が動きの激しいものか否かなど映像の特性に応じて、字幕が映像の動きの激しくない位置に移動する表示モードを解除して、字幕の表示位置を固定することができる。
【００６４】
さらに、本実施形態１では、字幕を表示画面の中央より上側、下側、右側、あるいは左側に表示するときは、それぞれ表示画面の端に詰めて表示するので、映像の字幕により遮られる部分が視聴者の注目度の低い領域となり、字幕を重ねた映像に対して視聴者がいだく、映像が見難いという印象を緩和することができる。
（実施形態２）
図５は、本発明の実施形態２によるデジタル放送受信装置を説明する図である。
【００６５】
この実施形態２のデジタル放送受信装置は、実施形態１の動きベクトルに代わる画素の更新の頻度に基づいて、映像の動きの激しくない領域（動きの小さい領域）を特定するものであり、その他の構成は、上記実施形態１のデジタル放送受信装置と同一である。
【００６６】
すなわち、この実施形態２のデジタル放送受信装置は、上記実施形態１のデジタル放送受信装置と同様、デジタル放送信号を受信するアンテナ部と、受信したデジタル放送信号を復元するチューナ部と、復元したデジタル放送信号から映像情報、音声情報、および字幕情報などを切り分けて抽出する放送信号分離部と、該映像情報をデコードする映像デコーダと、音声情報をデコードする音声デコーダと、字幕情報をデコードする字幕デコーダと、デコードされた映像情報とデコードされた字幕情報とを合成して出力する映像出力部と、上記音声データをＤＡ変換して音声信号を出力する音声ＤＡＣ部と、上記映像データを表示する液晶ディスプレイ（ＬＣＤ）などの映像表示部と、上記音声信号により音声を出力するスピーカ部とを有している。
【００６７】
そして、この実施形態２では、上記実施形態１とは異なり、上記映像デコード部を、該映像情報信号のデコードを行う際、画素の情報が更新される頻度に基づいて、上記映像表示領域Ｒｖにおける４つの字幕表示領域Ｒｓ１〜Ｒｓ４のうちから、最も映像の動きが小さい領域を特定するよう構成し、さらに、上記映像出力部を、該映像デコード部から通知された、映像の動きが最も小さい位置を示す情報に基づいて、上記特定された領域に字幕が表示されるよう、映像データと字幕データとを合成するよう構成されている。
【００６８】
ここで、画素値の更新は、各フレームにおける複数の画素からなる単位領域毎に必要に応じて行われる。つまり、画素値の更新は、各フレームにおける複数の単位領域のうち、前フレームの対応する単位領域に対して映像の動きがあるものにおいてのみ行われるものであり、単位領域における画素の更新の頻度が少ない表示領域が、映像の動きの小さい領域を意味するものとする。
【００６９】
次に動作について説明する。
【００７０】
上記映像デコーダが映像表示領域Ｒｖ上で映像をデコードする際に、画素の更新が図５（ａ）に示すように、該映像表示領域Ｒｖの中央部から右側に跨る領域で頻繁に行われている場合、映像表示領域Ｒｖの下側の下詰め領域Ｒｓ１に字幕を表示すると、図５（ｂ）に示すように、画素の更新頻度の大きい領域と字幕表示が重なり合い、映像表示も見え難く、字幕情報も見え難くなってしまう。また、図５（ｃ）に示すように、字幕表示を映像表示領域Ｒｖの右側の右詰め領域Ｒｓ３に、もしくは図５（ｅ）に示すように字幕表示を映像表示領域の画像の上側の上詰め領域Ｒｓ２に表示させた場合も、同様に、映像の一部および字幕の一部が見え難くなってしまう。
【００７１】
このような場合、図５（ｄ）に示すように、字幕表示を映像表示領域Ｒｖの左側に位置する左詰め領域Ｒｓ４に表示することで、視聴者が読みやすい形で字幕情報を表示することができる。
【００７２】
このように本実施形態２では、デジタル放送受信装置において、デジタル放送信号に含まれる映像情報をデコードする映像デコード部を、映像における各フレームの画素値の更新頻度に基づいて、字幕を表示すべき字幕表示領域として、映像における動きの激しくない部分を検出するよう構成し、また、映像データと字幕データとを合成する映像出力部を、上記検出された動きの激しくない部分に該字幕が表示されるよう、該字幕データと該映像データとの合成を行うよう構成したので、映像が非常に激しい動きを伴う場合でも、字幕を視聴者が見やすい形で映像の表示領域に重ねて表示することができる。
【００７３】
また、この実施形態２においては、上記映像出力部を、上記映像における動きの激しくない部分に前記字幕が表示されるよう、前記字幕データと前記映像データとを合成する第１の合成処理と、該映像の決められた部分に該字幕が表示されるよう、該字幕データと該映像データとを合成する第２の合成処理とを、ユーザ操作により発生した選択信号により切り替える構成としているので、表示される映像が動きの激しいものか否かなど映像の特性に応じて、字幕が映像の動きの激しくない位置に移動する表示モードを解除して、字幕の表示位置を固定することができる。
【００７４】
さらに、本実施形態２においても、字幕を表示画面の中央より上側、下側、右側、あるいは左側に表示するときは、それぞれ表示画面の端に詰めて表示するので、映像の字幕により遮られる部分が視聴者の注目度の低い領域となり、字幕を重ねた映像に対して視聴者がいだく、映像が見難いという印象を緩和することができる。
【００７５】
なお、上記各実施形態では、上記領域検出部は、上記字幕を表示すべき領域の位置情報Ｐｄとして、映像が表示される表示画面の中央より下側の下位置、該表示画面の中央より上側の上位置、該表示画面の中央より右側の右位置、および該表示画面の中央より左側の左位置のうちで、動きの激しさが最も小さい位置を示す位置情報を出力するよう構成したものであるが、上記領域検出部は、上記字幕を表示すべき領域の位置情報Ｐｄとして、映像が表示される表示画面の中央より下側の下位置と該表示画面の中央より上側の上位置とのうちで、動きの激しさが小さい位置を示す位置情報を出力するよう構成したものでもよい。また、上記領域検出部は、上記字幕を表示すべき領域の位置情報Ｐｄとして、映像が表示される表示画面の中央より右側の右位置と該表示画面の中央より左側の左位置とのうちで、動きの激しさが小さい位置を示す位置情報を出力するよう構成したものでもよい。
【００７６】
さらに、上記各実施形態では、字幕を表示画面の中央より上側、下側、右側、あるいは左側に表示するときは、それぞれ表示画面の端に詰めて表示するようにしているが、上記字幕を表示画面の中央より上側、下側、右側、あるいは左側に表示するときに、必ずしも、表示画面の端に詰めて表示する必要はなく、表示画面の上側、下側、右側、あるいは左側であって、該表示画面の中央よりに字幕を表示するようにしてもよい。
【００７７】
また、上記実施形態のデジタル放送受信装置における、受信したデジタル放送信号から、映像および字幕を表示させるための表示データを生成する信号処理は、このような信号処理を行うための信号処理プログラムをコンピュータに供給することで、ソフトウエアにより行うこともできる。
【００７８】
具体的には、上記信号処理プログラムを、コンピュータ読み取り可能な記録媒体に記録して、この記録媒体に記録された信号処理プログラムをコンピュータシステムに読み込ませ、実行する。
【００７９】
ここで、コンピュータ読み取り可能な記録媒体とは、フレキシブルディスク、光磁気ディスク、ＣＤ−ＲＯＭ等の記録媒体、コンピュータシステムに内蔵されるハードディスク装置等の記憶装置を指す。さらに、コンピュータ読み取り可能な記録媒体は、インターネットを介してプログラムを送信する場合のサーバとなるコンピュータシステム内部の揮発性メモリのように、一定時間プログラムを保持しているものも含む。
【００８０】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。本明細書において引用した特許文献は、その内容自体が具体的に本明細書に記載されているのと同様にその内容が本明細書に対する参考として援用されるべきであることが理解される。
【産業上の利用可能性】
【００８１】
本発明は、字幕を映像に重ねて表示するデジタル放送受信装置およびデジタル放送受信方法、並びに、字幕情報を含むデジタル放送信号の信号処理プログラムおよび該信号処理プログラムを記録したプログラム記録媒体の分野において、字幕を視聴者に読みやすい形で提示でき、テレビジョン受像機などに有用なものである。
【図面の簡単な説明】
【００８２】
【図１】図１は、本発明の実施形態１に係るデジタル放送受信装置を説明するブロック図である。
【図２】図２（ａ）〜（ｄ）は、上記実施形態１のデジタル放送受信装置において、映像表示領域における字幕表示領域を説明する図である。
【図３】図３（ａ）〜図３（ｅ）は上記実施形態１のデジタル放送受信装置において、動きベクトルを用いて映像の動きを特定する方法を示す図である。
【図４】図４は、上記実施形態１のデジタル放送受信装置における字幕情報の表示処理をフローチャートを使って説明する図である。
【図５】図５（ａ）〜（ｅ）は、本発明の実施形態２によるデジタル放送受信装置を説明する図であり、画素の更新の頻度に基づいて映像の動きの激しくない領域を特定する方法を示している。
【符号の説明】
【００８３】
１００  デジタル放送受信装置
１０１  アンテナ部
１０２  チューナ部
１０３  放送信号分離部
１０４  映像デコード部
１０５  音声デコード部
１０６  字幕デコード部
１０７  映像出力部
１０８  音声DAC部
１０９  映像表示部
１１０  スピーカ部
Ｐｒ  画素更新領域
Ｒｖ  映像表示領域
Ｒｓ１  下詰め領域
Ｒｓ２  上詰め領域
Ｒｓ３  右詰め領域
Ｒｓ４  左詰め領域
【図１】
2009152807.tif 000003
【図２】
2009152807.tif 000004
【図３】
2009152807.tif 000005
【図４】
2009152807.tif 000006
【図５】
2009152807.tif 000007